(57)【要約】【課題】内側・外側縦地単管のスパンの寸法出し及び足場板幅方向の寸法出しが容易で、足場組立作業を能率良く行なえ、足場の剛性を高め得る単管足場を提供する。【解決手段】水平ブレス枠４と手摺兼ブレス枠５とを備え、水平ブレス枠４は、その長手方向両端部に、内側縦地単管Ｐinに掴締されるクランプと外側縦地単管Ｐouに掴締されるクランプとを足場板２の幅寸法に対応する間隔Ｆで設けると共に、足場板長手方向に対向する両クランプの間隔Ｌａ，Ｌｂを縦地単管Ｐin，Ｐouの所定スパンＳａ，Ｓｂに対応する寸法に設定したものであり、手摺兼ブレス枠５は、その長手方向両端部に、外側縦地単管Ｐouに掴締されるクランプを上下部に設けると共に、足場板長手方向に対向する両クランプ間の間隔Ｌａ，Ｌｂを縦地単管Ｐou，Ｐouの所定スパンＳａ，Ｓｂに対応する寸法にしたものである。【選択図】図１
2007309029.tif 000002
【特許請求の範囲】
【請求項１】
建物のベランダ鼻先部に支持ブラケットを固定し、支持ブラケットには建物に近接する内側縦地単管を固定し、この内側縦地単管の外側に外側縦地単管を配置し、内側縦地単管と外側縦地単管との間には足場板のフックが掛合する伸縮自在の水平杆を有する伸縮ブラケットを介装し、足場板長手方向に対向する伸縮ブラケットの水平杆間に足場板を掛架して、多段状に組み立てるようにした単管足場であって、
内側・外側の両水平材、両水平材の端部どうしをつなぐ両横材、及び両水平材間に斜めに張架されたブレスからなる水平ブレス枠と、上側・下側の両水平材、両水平材の端部どうしをつなぐ両縦材、及び両水平材間に斜めに張架されたブレスからなる手摺兼ブレス枠とを備え、
水平ブレス枠は、その長手方向両端部に夫々、内側縦地単管に掴締されるクランプと外側縦地単管に掴締されるクランプとを、足場板の幅寸法に対応する間隔で設けると共に、足場板長手方向に対向する両クランプの間隔を縦地単管の所定スパンに対応する寸法に設定したもので、少なくとも１段目足場板の下側に設置し、手摺兼ブレス枠は、その長手方向両端部に夫々、外側縦地単管に掴締されるクランプを上下部に設けると共に、足場板長手方向に対向する両クランプ間の間隔を縦地単管の所定スパンに対応する寸法にしたもので、各段の外側縦地単管間に設置することを特徴とする単管足場。
【請求項２】
手摺兼ブレス枠の両端部の足場板長手方向に対向する両クランプは、クランプ１個分程度上下に段違いになるように取り付けられていることを特徴とする請求項１に記載の単管足場。
【発明の詳細な説明】
【技術分野】
【０００１】
本発明は、マンション等の外壁補修工事に使用される単管足場に関するものである。
【背景技術】
【０００２】
図１０は従来の単管足場を建物の外側から見た正面図であり、図１１は同単管足場の側面図で、ベランダの鼻先部が高い場合、(b) は同鼻先部が低い場合を示したものである。この単管足場は、建物のベランダの高鼻先部Ｗａ又は低鼻先部Ｗｂに支持ブラケット１を固定し、この支持ブラケット１には鼻先部Ｗａ，Ｗｂに近い内側縦地単管Ｐinを固定し、この内側縦地単管Ｐinの外側に外側縦地単管Ｐouを配置し、内側縦地単管Ｐinと外側縦地単管Ｐouとの間には足場板２のフック（図示せず）が掛合する伸縮自在の水平杆を有する伸縮ブラケット３を介装し、足場板長手方向に対向する伸縮ブラケット３，３の水平杆間に足場板２を掛架し、しかして内側縦地単管Ｐin及び外側縦地単管Ｐouを順次継ぎ足しながら、図１０、図１１に示すように多段状に組み立ててゆく。また、足場板長手方向に対向する外側縦地単管Ｐou，Ｐou間には各段の足場板２毎に、単管からなる手摺１０を上下２段に取り付けるようにしている。
【発明の開示】
【発明が解決しようとする課題】
【０００３】
上記のような従来の単管足場によると、足場の組み立てにあたって、内側縦地単管Ｐin及び外側縦地単管Ｐouを立設する時に、縦地単管のスパン（足場板長手方向に隣り合う縦地単管の軸芯間距離）を寸法出しするのに非常な手間がかかり、また内側縦地単管Ｐinと外側縦地単管Ｐouとの足場板幅方向間隔を寸法出しするのに、伸縮ブラケット３の水平杆を１本ごとに伸縮調整しながら、２段目縦地単管を取り付けるようにするため、その寸法出しに非常な手間がかかっていた。
【０００４】
本発明は、内側及び外側縦地単管のスパンの寸法出し及び内側縦地単管と外側縦地単管との足場板幅方向間隔の寸法出しが容易で、足場の組立作業が能率良く行なえると共に、足場の剛性を高めることができる単管足場を提供することを目的とする。
【課題を解決するための手段】
【０００５】
上記課題を解決するための手段を、後述する実施形態の参照符号を付して説明すると、請求項１に係る発明の単管足場は、建物のベランダ鼻先部Ｗａ，Ｗｂに支持ブラケット１を固定し、支持ブラケット１には建物に近接する内側縦地単管Ｐinを固定し、この内側縦地単管Ｐinの外側に外側縦地単管Ｐouを配置し、内側縦地単管Ｐinと外側縦地単管Ｐouとの間には足場板２のフックが掛合する伸縮自在の水平杆６を有する伸縮ブラケット３を介装し、足場板長手方向に対向する伸縮ブラケット３，３の水平杆６，６間に足場板２を掛架して、多段状に組み立てるようにした単管足場であって、
内側・外側の両水平材２７，２８、両水平材２７，２８の端部どうしをつなぐ両横材２５，２５、及び両水平材２５，２５間に斜めに張架されたブレス２６からなる水平ブレス枠４と、上側・下側の両水平材２９，２９、両水平材２９，２９の端部どうしをつなぐ両縦材３０，３０、及び両水平材２９，２９間に斜めに張架されたブレス３３からなる手摺兼ブレス枠５とを備え、
水平ブレス枠４は、その長手方向両端部に夫々、内側縦地単管Ｐinに掴締されるクランプ７と外側縦地単管Ｐouに掴締されるクランプ８とを、足場板２の幅寸法に対応する間隔Ｆで設けると共に、足場板長手方向に対向する両クランプ７，７（８，８）の間隔Ｌａ，Ｌｂを縦地単管Ｐin，Ｐouの所定スパンＳａ，Ｓｂに対応する寸法に設定したもので、少なくとも１段目足場板２の下側に設置し、手摺兼ブレス枠５は、その長手方向両端部に夫々、外側縦地単管Ｐouに掴締されるクランプ９を上下部に設けると共に、足場板長手方向に対向する両クランプ９，９間の間隔Ｌａ，Ｌｂを縦地単管Ｐou，Ｐouの所定スパンＳａ，Ｓｂに対応する寸法にしたもので、各段の外側縦地単管Ｐou，Ｐou間に設置することを特徴とする。
【０００６】
請求項２は、請求項１に記載の単管足場において、手摺兼ブレス枠５の両端部の足場板長手方向に対向する両クランプ９，９は、クランプ１個分程度上下に段違いになるように取り付けられていることを特徴とする。
【発明の効果】
【０００７】
上記解決手段による発明の効果を、後述する実施形態の参照符号を付して説明すると、請求項１に係る発明の単管足場によれば、水平ブレス枠４は、その長手方向両端部に夫々、内側縦地単管Ｐinに掴締されるクランプ７と外側縦地単管Ｐouに掴締されるクランプ８とを、足場板２の幅寸法に対応する間隔Ｆで設けると共に、足場板長手方向に対向する両クランプ７，７（８，８）の間隔Ｌａ，Ｌｂを縦地単管Ｐin，Ｐouの所定スパンＳａ，Ｓｂに対応する寸法に設定したものであり、手摺兼ブレス枠５は、その長手方向両端部に夫々、外側縦地単管Ｐouに掴締されるクランプ９を上下部に設けると共に、足場板長手方向に対向する両クランプ９，９間の間隔Ｌａ，Ｌｂを縦地単管Ｐou，Ｐouの所定スパンＳａ，Ｓｂに対応する寸法にしたもので、単管足場を組み立てる際に、この水平ブレス枠４と手摺兼ブレス枠５を使用することにより、内側縦地単管Ｐinと外側縦地単管Ｐouとの間の足場板幅方向の寸法だし及び縦地単管Ｐin，Ｐouのスパンの寸法出しが容易で、単管足場の組立て作業が能率良く行なえる。
【０００８】
また、水平ブレス枠４は、内側・外側の両水平材２７，２８、両水平材２７，２８の端部どうしをつなぐ両横材２５，２５、及び両水平材２５，２５間に斜めに張架されたブレス２６からなるものであり、手摺兼ブレス枠５は、上側・下側の両水平材２９，２９、両水平材２９，２９の端部どうしをつなぐ両縦材３０，３０、及び両水平材２９，２９間に斜めに張架されたブレス３３からなるものであるため、水平ブレス枠４と手摺兼ブレス枠５を使用することによって、単管足場の剛性を高めることができる。
【０００９】
請求項２に係る発明の単管足場によれば、手摺兼ブレス枠５の両端部の足場板長手方向に対向する両クランプ９，９がクランプ１個分程度上下に段違いになるように取り付けられているため、手摺兼ブレス枠５を手摺り長手方向に隣接して設置する場合、一方の手摺兼ブレス枠５のクランプと、これに隣接する他方の手摺兼ブレス枠５のクランプとが干渉することなく、各手摺兼ブレス枠５を同じレベルで体裁良く設置することができる。
【発明を実施するための最良の形態】
【００１０】
以下に本発明の好適な実施形態を図面に基づいて説明すると、図１は本発明に係る単管足場を建物の外側から見た正面図であり、図２は同単管足場の側面図で、ベランダの鼻先部が高い場合、(b) は同鼻先部が低い場合を示したものである。図において、Ｗａはベランダの高鼻先部、Ｗｂはベランダの低鼻先部、Ｐin及びＰouは足場用縦地単管で、Ｐinは建物に近接する側で足場板長手方向に所定のスパンで配置される内側縦地単管、Ｐouは内側縦地単管Ｐinから外側へ足場板の幅寸法に対応する間隔をもって配置される外側縦地単管で、足場板長手方向には内側縦地単管Ｐinと同じスパンで配置される。また１は支持ブラケット、２は足場板、３は伸縮ブラケット、４は水平ブレス枠、５は手摺兼ブレス枠である。
【００１１】
図３の(a) は図２の(a) の矢印Ｘで囲まれる部分の拡大図で、支持ブラケット１をベランダの高鼻先部Ｗａに取り付けた状態の側面図、(b) は図２の(b) の矢印Ｙで囲まれる部分の拡大図で、支持ブラケット１をベランダの低鼻先部Ｗｂに取り付けた状態の側面図、図４の(a) は支持ブラケット１の拡大詳細側面図、(b) はその平面図であり、また図５は伸縮ブラケット３の側面図である。図６の(a) は水平ブレス枠４の正面図、(b) は平面図、(c) は右側面図であり、図７の(a) は図６の(a) の矢印Ｑで囲まれる部分の拡大図であり、(b) は図７の(a) の矢印Ｒから見た図面である。図８の(a) は手摺兼ブレス枠５の正面図、(b) は平面図、(c) は右側面図であり、図９の(a) は図８の(a) の矢印Ｍで囲まれる部分の拡大図、(b) は図９の(a) の矢印Ｎから見た図面である。
【００１２】
支持ブラケット１は、図３及び図４から分かるように、鼻先部Ｗａ，Ｗｂの上端面に沿うように水平に配置される水平材１１と、この水平材１１の基端部から垂直下向きに延びる垂直材１２とでＬ字状に形成されたブラケット本体１３からなるもので、水平材１１にはスライド部材１４を所要位置で固定用ボルト１５により固定可能に取り付け、このスライド部材１４の下端部に締付用螺軸１６を螺装すると共に、締付用螺軸１６の先端部に当て金１７を取り付け、そして垂直材１２には、内側縦地単管Ｐinを掴締するクランプ１８を取り付けている。クランプ１８は周知のパイプクランプで、図７及び図９に示すような構造のものである。
【００１３】
この支持ブラケット１の使用にあたっては、ブラケット本体１３の水平材１１をベランダ鼻先部Ｗａ，Ｗｂの上端面に載せ、垂直材１２を鼻先部Ｗａ，Ｗｂの外側面に当て付けた状態で、ベランダの内側から締付用螺軸１６を締付方向に回転させながら、先端部の当て金１７を鼻先部Ｗａ，Ｗｂの内側面に圧接することによって、ブラケット本体１３を鼻先部Ｗａ，Ｗｂに固定することができる。
【００１４】
伸縮ブラケット３は、図５に示すように、足場板２のフック（図示せず）が掛合する伸縮自在の水平杆６と、この水平杆６の基端部から垂直下向きに延びる垂直杆１９とからなるブラケット本体２０を有する。水平杆６は、筒状の固定杆６ａと、この筒状固定杆６ａに伸縮自在に嵌合された伸縮杆６ｂとからなるもので、固定杆６ａの先端部には、伸縮杆６ｂを所要の伸縮位置で固定杆６ａに固定する固定用ボルト２１を設け、伸縮杆６ｂの先端部には外側縦地単管Ｐouに掴締されるクランプ２２を設け、垂直杆１９には、内側縦地単管Ｐinに掴締されるクランプ２３と、その内側縦地単管Ｐinを受ける受け金具２４を設けている。また、筒状固定杆６ａの先端部と垂直杆１９との間にブレス２５を張架している。クランプ２２，２３も、図７及び図９に示すような構造の周知のパイプクランプである。
【００１５】
この伸縮ブラケット３の使用にあたっては、図３に示すように、ベランダ鼻先部Ｗａ，Ｗｂに固定の支持ブラケット１で支持された内側縦地単管Ｐinの所要部に垂直杆１９側のクランプ２３を掴締させ且つ受け金具２４を受けさせて固定させた状態で、水平杆６を適宜に伸縮させて、その先端部のクランプ２２を外側縦地単管Ｐouに掴締させるようにすればよい。
【００１６】
水平ブレス枠４は、図６(a) ，(b) ，(c) に示すように、内側水平材２７と、外側水平材２８と、両水平材２７，２８の端部どうしをつなぐ両横材２５，２５と、両水平材２７，２８間に斜めに張架されたブレス２６とからなるもので、同図(a) から分かるように、両横材２５，２５の夫々の両端部に、内側縦地単管Ｐinに掴締されるクランプ７と外側縦地単管Ｐouに掴締されるクランプ８とを、足場板２の幅寸法に対応する間隔Ｆで設けると共に、足場板長手方向に対向する両クランプ７，７（８，８）の間隔Ｌａ，Ｌｂを縦地単管Ｐin，Ｐouの所定スパンＳａ，Ｓｂ（図１参照）に対応する寸法に設定したものである。尚、図１に示すように、縦地単管間のスパンであるＳａとＳｂは寸法が異なっており、しかして足場板長手方向に対向する両クランプ７，７（８，８）の間隔ＬａはスパンＳａに対応する寸法に設定され、両クランプ７，７（８，８）の間隔ＬｂはスパンＳｂに対応する寸法に設定される。
【００１７】
各クランプ７，８は、図７の(a) ，(b) に示すような周知構造のパイプクランプで、固定把持部材３１と可動把持部材３２とからなり、固定・可動の両把持部材３１，３２は枢軸３７により互いに開閉するように枢着され、固定把持部材３１の基端部には締付用ボルト３４が回動軸３６に回動自在に取り付けられ、可動把持部材３２の遊端部には締付用ボルト３４が挿入される挿入溝３２ａが設けてあって、水平ブレス枠４の水平材２７，２８の端部に固着されたコ字状取付片３９に固定把持部材３１がボルト３８で取付け固定されている。このクランプ７，８で縦地単管Ｐin，Ｐouを掴締する時は、可動把持部材３２を回動開放して、両把持部材３１，３２で縦地単管Ｐin，Ｐouの抱持し、締付用ボルト３４を挿入溝３７に係合させて外側からナット３５で両把持部材３１，３２を締め付けるようにする。
【００１８】
手摺兼ブレス枠５は、図８(a) ，(b) ，(c) に示すように、上側・下側の水平材２９，２９と、両水平材２９，２９の端部どうしをつなぐ両縦材３０，３０と、両水平材２９，２９間に斜めに張架されたブレス３３とからなるもので、同図の(a) から分かるように、各縦材３０の上下両端部に、外側縦地単管Ｐouに掴締されるクランプ９を上下部に設けると共に、足場板長手方向に対向する両クランプ９，９間の間隔Ｌａ，Ｌｂを縦地単管in，Ｐouの所定スパンＳａ，Ｓｂ（図１参照）に対応する寸法に設定したものである。尚、間隔ＬａはスパンＳａに対応する寸法に設定され、間隔ＬｂはスパンＳｂに対応する寸法に設定される。
【００１９】
また図８の(a) から分かるように、手摺兼ブレス枠５の両端部の足場板長手方向に対向する両クランプ９，９は、クランプ１個分程度上下に段違いになるように取り付けられている。これは、手摺兼ブレス枠５を手摺り長手方向に隣接して設置する場合、一方の手摺兼ブレス枠５のクランプと、これに隣接する他方の手摺兼ブレス枠５のクランプとが同一レベルに設けてあると、クランプ９，９どうしが干渉して、外側縦地単管Ｐouへのクランプの取付けができないからである。従って、両端部の足場板長手方向に対向するクランプ９，９をクランプ１個分程度上下に段違いになるように取り付けることにより、各手摺兼ブレス枠５を同じレベルで体裁良く設置することができる。
【００２０】
手摺兼ブレス枠５の各クランプ９は、図９の(a) ，(b) に示しているが、図７の(a) ，(b) により説明した水平ブレス枠４のクランプ７，８と同じ構造であるため、同じ部材については同一符号を付して説明を省略する。
【００２１】
次に、上記のように構成される単管足場の組立てについて図１、図２及び他の図面を適宜参照しながら説明する。先ず、建物のベランダの高鼻先部Ｗａ又は低鼻先部Ｗｂに支持ブラケット１を固定し、この支持ブラケット１に内側縦地単管Ｐinをクランプ１８で固定して鉛直姿勢に保持する。この内側縦地単管Ｐinに１段目の伸縮ブラケット３の一端部側をクランプ２３（図５参照）で固定する。各伸縮ブラケット３の水平杆６は収縮状態にしておく。
【００２２】
そして、例えば図１の右端に配置した外側縦地単管Ｐou及びこれの内側に対向位置する内側縦地単管Ｐinの夫々の下端部に、図６に示す水平ブレス枠４の一端部のクランプ７，８を夫々掴締させ、同水平ブレス枠４の他端部にあるクランプ７，８を、図１の右端から２番目に配置した外側縦地単管Ｐou及びこれの内側に設置されている内側縦地単管Ｐinに掴締させ、しかして各外側縦地単管Ｐouを鉛直姿勢とした状態で、伸縮ブラケット３の水平杆６を延ばし、その先端部のクランプ２２を外側縦地単管Ｐouに掴締させると、水平ブレス枠４とその上側にある伸縮ブラケット３とによって足場板２の幅が決まる。
【００２３】
こうして足場板２の幅が決まれば、足場板長手方向に対向する伸縮ブラケット３，３の水平杆６，６間に１段目足場板２を掛架し、そして図１に示すように足場板２よりも高い位置で足場板長手方向に対向する外側縦地単管Ｐou，Ｐou間に手摺兼ブレス枠５を設置する。この手摺兼ブレス枠５の設置に際しては、外側縦地単管Ｐou，Ｐou間に手摺兼ブレス枠５を配置して、このブレス枠５の両端部のクランプ９，９を外側縦地単管Ｐou，Ｐouに掴締させればよい。
【００２４】
１段目の足場板２及びその手摺兼ブレス枠５を取り付けた後、内側縦地単管Ｐinに固定した２段目足場板掛架用伸縮ブラケット３の水平杆６を延ばして、その先端部のクランプ２２を外側縦地単管Ｐouに掴締させ、しかして足場板長手方向に対向する伸縮ブラケット３，３の水平杆６，６間に２段目足場板２を掛架し、そしてその足場板２より高い位置で足場板長手方向に対向する外側縦地単管Ｐou，Ｐou間に手摺兼ブレス枠５を設置する。また、図２に示すように、１段目足場板２の手摺兼ブレス枠５と２段目足場板２の手摺兼ブレス枠５との間に設置してある伸縮ブラケット３も、その水平杆６を延ばして、先端部のクランプ２２を外側縦地単管Ｐouに掴締させる。
【００２５】
２段目の足場板２及びその手摺兼ブレス枠５を取り付けた後、内側縦地単管Ｐinに固定した２段目足場板掛架用伸縮ブラケット３の水平杆６を延ばして、その先端部のクランプ２２を外側縦地単管Ｐouに掴締させ、しかして足場板長手方向に対向する伸縮ブラケット３，３の水平杆６，６間に３段目足場板２を掛架し、その足場板２より高い位置で足場板長手方向に対向する外側縦地単管Ｐou，Ｐou間に手摺兼ブレス枠５を設置する。以降も、上記同様な操作を行なうことによって、多段状単管足場を組み立てる。
【００２６】
この実施形態では、水平ブレス枠４は、１段目足場板２の下側、３段目足場板２の下側、及び４段目足場板２の下側に設けてあるが、各段の足場板２の下側に設けてもよいし、１段目足場板２の下側にのみ設けてもよい。
【００２７】
また実施形態では、縦地単管Ｐin，Ｐouのスパンは、Ｓａと、これよりも長いＳｂとが交互に繰り返す２種類のスパンとなっているから、この実施形態の単管足場にあっては、水平ブレス枠４及び手摺兼ブレス枠５は夫々２種類のものが使用される。
【００２８】
以上説明したように、この発明の単管足場では、水平ブレス枠４は、その長手方向両端部に夫々、内側縦地単管Ｐinに掴締されるクランプ７と外側縦地単管Ｐouに掴締されるクランプ８とを、足場板２の幅寸法に対応する間隔Ｆで設けると共に、足場板長手方向に対向する両クランプ７，７（８，８）の間隔Ｌａ，Ｌｂを縦地単管Ｐin，Ｐouの所定スパンＳａ，Ｓｂに対応する寸法に設定したものであり、また手摺兼ブレス枠５は、その長手方向両端部に夫々、外側縦地単管Ｐouに掴締されるクランプ９を上下部に設けると共に、足場板長手方向に対向する両クランプ９，９間の間隔Ｌａ，Ｌｂを縦地単管Ｐou，Ｐouの所定スパンＳａ，Ｓｂに対応する寸法にしたもので、単管足場を組み立てる際に、この水平ブレス枠４と手摺兼ブレス枠５を使用することにより、内側縦地単管Ｐinと外側縦地単管Ｐouとの間の足場板幅方向の寸法だし及び縦地単管Ｐin，Ｐouのスパンの寸法出しが容易となり、単管足場の組立て作業を能率良く行なうことができる。
【００２９】
また、水平ブレス枠４は、内側・外側の両水平材２７，２８、両水平材２７，２８の端部どうしをつなぐ両横材２５，２５、及び両水平材２５，２５間に斜めに張架されたブレス２６からなるものであり、手摺兼ブレス枠５は、上側・下側の両水平材２９，２９、両水平材２９，２９の端部どうしをつなぐ両縦材３０，３０、及び両水平材２９，２９間に斜めに張架されたブレス３３からなるものであるため、これらの水平ブレス枠４と手摺兼ブレス枠５を使用することにより、単管足場の剛性を高めることができる。
【図面の簡単な説明】
【００３０】
【図１】本発明に係る単管足場を建物の外側から見た正面図である。
【図２】同単管足場の側面図で、ベランダの鼻先部が高い場合、(b) は同鼻先部が低い場合を示したものである。
【図３】(a) は図２の(a) の矢印Ｘで囲まれる部分の拡大図で、支持ブラケットをベランダの高鼻先部に取り付けた状態の側面図、(b) は図２の(a) の矢印Ｙで囲まれる部分の拡大図である。
【図４】支持ブラケットをベランダの低鼻先部に取り付けた状態の側面図である。
【図５】(a) は支持ブラケットの拡大詳細側面図、(b) はその平面図である。
【図６】伸縮ブラケットの側面図である。
【図７】(a) は図６の(a) の矢印Ｑで囲まれる部分の拡大図、(b) は図６の(b) の矢印Ｒから見た図面である。
【図８】(a) は手摺兼ブレス枠の正面図、(b) は平面図、(c) は右側面図である。
【図９】(a) は図８の(a) の矢印Ｍで囲まれる部分の拡大図、(b) は図８の(b) の矢印Ｎから見た図面である。
【図１０】従来の単管足場を建物の外側から見た正面図である。
【図１１】同単管足場の側面図で、(a) はベランダの鼻先部が高い場合、(b) は同鼻先部が低い場合を示したものである。
【符号の説明】
【００３１】
Ｐin          内側縦地単管
Ｐou          外側縦地単管
１            支持ブラケット
２            足場板
３            伸縮ブラケット
４            水平ブレス枠
５            手摺兼ブレス枠
６            伸縮ブラケットの水平杆
７，８        水平ブレス枠のクランプ
９            手摺兼ブレス枠のクランプ
【図１】
2007309029.tif 000003
【図２】
2007309029.tif 000004
【図３】
2007309029.tif 000005
【図４】
2007309029.tif 000006
【図５】
2007309029.tif 000007
【図６】
2007309029.tif 000008
【図７】
2007309029.tif 000009
【図８】
2007309029.tif 000010
【図９】
2007309029.tif 000011
【図１０】
2007309029.tif 000012
【図１１】
2007309029.tif 000013